(57)【要約】
　【課題】多層構造によって、保護シート、座敷シート、滑り止めシート、保護シート、マスク等の製品に利用可能な、高透過性を有し、有機毒素を阻隔可能で、異臭除去効果のあるシート構造体を提供する。
　【解決手段】本考案のシート構造体は、第一透過層と、濾過層と、第二透過層とを積層し、ホットプレスによって一体化し、第一透過層と第二透過層とが不織布で、濾過層が活性炭を含むシート構造体。
【選択図】図１
0003099919.tif 000002
【実用新案登録請求の範囲】
【請求項１】
　第一透過層と、濾過層と、第二透過層とより成るシート構造体において、
第一透過層と、濾過層と、第二透過層とをホットプレスして一体化し、
　濾過層の一端を前記第一透過層に繋ぎ、他端を前記第二透過層に繋ぎ、
　第一透過層及び第二透過層が不織布であり、
　濾過層が活性炭成分を含むことを特徴とする、
　シート構造体。
【請求項２】
　請求項１に記載のシート構造体において、前記第一透過層の端面に付着層を設けたことを特徴とする、シート構造体。
【請求項３】
　請求項１に記載のシート構造体において、前記第二透過層の端面に付着層を設けたことを特徴とする、シート構造体。
【請求項４】
　請求項２又は３に記載のシート構造体において、前記付着層に透過穴を設け、隣接する前記透過穴との間に溝を形成することを特徴とする、シート構造体。
【請求項５】
　請求項２又は３に記載のシート構造体において、前記付着層が発泡材質のＥＶＡから成ることを特徴とする、シート構造体。
【考案の詳細な説明】
【技術分野】
【０００１】
　本願はシート構造体に関するものであり、特に、保護シート、座敷、靴底シート、滑り止めシート、看護シート、マット及びマスク等に利用可能なシートに関するものである。
【背景技術】
【０００２】
　透過性を利用した製品の種類は多く、例えば、保護シート、看護シート、靴底シート、滑り止めシート等の製品に利用されている。
【考案の開示】
【考案が解決しようとする課題】
【０００３】
　これらの透過性を有する製品は、人体に接触することとなり、製品の通気性や透過性に関しては、製品の購入の際に消費者が考慮に入れる一つの要因である。しかし、透過性と通気性の効果を有しながら、有機毒素を阻隔可能で、かつ空気中の異臭を除去可能な効果を持った製品の開発が切望されている。
【課題を解決するための手段】
【０００４】
　本考案の主な目的は、二つの不織布の透過層の間に、活性炭を含む濾過層を設けるシートの構造を提供し、保護シート、看護シート、マット、マスク等の製品に利用可能とすることを目的としている。
【０００５】
　本考案のもう一つの目的は、シート透過層の一端面に付着層を設けたシートの構造を提供し、靴底シート、座敷シート、滑り止めシート等の製品に利用可能とすることを目的としている。
【考案の効果】
【０００６】
　本考案のシート構造体は、上記した課題を解決するための手段により、次のような効果の少なくとも一つを得ることができる。
＜１＞本考案のシート構造体は、様々な用途に利用可能であり、例えば保護シート、座敷シート、靴底シート、滑り止めシート、看護シート、マスク等の製品に利用可能である。
＜２＞本考案のシート構造体は、第一透過層と第二透過層に不織布を利用したことによって、通気性及び透過性が非常に良い。
＜３＞本考案のシート構造体は、濾過層に活性炭を含ませたことによって、透過性が高く、有機毒素を阻隔可能であり、空気中の異臭を除去する効果がある。
【考案を実施するための最良の形態】
【０００７】
　以下、図面を参照しながら本考案の実施の形態について説明する。
【０００８】
　まず、図１〜図２を参照しながら、本考案の第一実施例として説明するシート構造体を説明する。
【０００９】
ここでのシート構造体は、主に第一透過層１０と、濾過層２０と、第二透過層３０とを積層して一体化したものである。第一透過層１０には不織布を利用することによって、利用者の体内の熱に対する通気性を良くするものである。濾過層２０には活性炭を含む不織布を利用する。前記濾過層２０は、第一端面２１と第二端面２２とを有し、第一端面２１は、第一透過層１０の端面と積層し、ホットプレスによって一体化する。濾過層２０の内部の活性炭が、外部の有機毒素を阻隔する効果と、空気中の異臭を除去する効果を発揮する。
【００１０】
　第二透過層３０には不織布を利用することによって、利用者の体内の熱に対する通気性を良くするものである。第二透過層３０の端面が、濾過層２０の第二端面２２に積層され、ホットプレスによって一体化される。
【００１１】
　図３に示したシート構造体は、基本的には上記の図１〜図２の構成を採用し、保護シート４０用に成型する。本保護シート４０は、利用者の傷を包む目的で利用される。本保護シート４０の第一透過層１０と第二透過層３０には、不織布の特性を利用することによって、利用者の体内の熱に対する通気性を良くし、傷に関する通気性及び透過性を増やすことが可能である。濾過層２０の特性は、外部の有機毒素の侵入と傷口からの感染を防ぐものである。
【００１２】
　図４は、本考案をマスク５０の形態に利用した場合を図示したものである。マスク５０の両側には、二本の耳掛け５１を設ける。図１〜図３に示した構造と同様、第一透過層１０及び第二透過層３０とによって、利用者の体内の熱に対する通気性を良くし、濾過層２０によって外部の有機毒素の侵入と傷口からの感染を防ぐことが可能である。又、本考案は、看護シートにも利用可能であり、身体障害者等の体の不自由な患者が、寝る際下敷用に用いても良く、患者の体に対する通気性及び透過性を増やすものである。
【００１３】
　次に図５及び図６を参照しながら、本考案の第二実施例に係わるシート構造体を説明する。しかし、本実施例のシート構造体は、第一実施例のシート構造体と以下の点を除けば同様であるため、ここでは相違点のみを説明する。
【００１４】
　本実施例の第二透過層３０（又は第一透過層１０）の端面には、付着層６０を設け、付着層６０には発砲材質のＥＶＡを用いる。そして、透過穴６１は、均一に形成配置され、隣接する夫々の透過穴６１の間には、溝６２が形成することによって、靴底シート７０の形態が形成される。
【００１５】
　靴底シート７０は、第一透過層１０及び第二透過層３０を有し、利用者の体内の熱に対する通気性を良くすると共に、濾過層２０が悪臭を除去する効果があり、更に付着層６０の透過穴６１及び溝６２によって透過性を上げることとなる。
【図面の簡単な説明】
【００１６】
【図１】本考案の第一実施例に係わるシート構造体の分解図。
【図２】本考案の第一実施例に係わるシート構造体の断面図。
【図３】本考案の第一実施例に係わるシート構造体を利用した保護シートの概略図。
【図４】本考案の第一実施例に係わるシート構造体を利用したマスクの概略図
【図５】本考案の第二実施例に係わるシート構造体の分解図。
【図６】本考案の第二実施例に係わるシート構造体の断面図。
【符号の説明】
【００１７】
１０・・第一透過層
２０・・濾過層
２１・・第一端面
２２・・第二端面
３０・・第二透過層
４０・・保護シート
５０・・マスク
５１・・耳掛け
６０・・付着層
６１・・透過穴
６２・・溝
７０・・靴底シート
【図１】
0003099919.tif 000003
【図２】
0003099919.tif 000004
【図３】
0003099919.tif 000005
【図４】
0003099919.tif 000006
【図５】
0003099919.tif 000007
【図６】
0003099919.tif 000008